(57)【要約】【課題】支持装置の構造の複雑化を招くことなく、被支持体の傾き調整をより円滑になさせるようにする。【解決手段】被支持体Ｍを三本の軸部材１…１によって傾き調整可能に支持する支持装置Ｓである。三本の軸部材１…１はそれぞれ、軸端１０間にウォームホイール部１１を備える。三本の軸部材１…１をそれぞれ螺進退可能に支持するベース２と、軸部材１のウォームホイール部１１にかみ合うウォーム部３０を備えた軸状操作体３とを有している。軸状操作体３は、ベース２に対し、三本の軸部材１…１のウォームホイール部１１のいずれにもウォーム部３０をかみ合わせない非接続位置と、三本の軸部材１…１のうちの一つのウォームホイール部１１にウォーム部３０をかみ合わせた接続位置との間に亘る移動可能に組み合わされている。接続位置に位置づけたこの軸状操作体３の捻回操作によって軸部材１の螺進退がなされる。【選択図】図１
2013246040.tif 000002
【特許請求の範囲】
【請求項１】
被支持体を三本の軸部材によって傾き調整可能に支持する支持装置であって、
前記三本の軸部材はそれぞれ、軸端間にウォームホイール部を備えると共に、
前記三本の軸部材をそれぞれ螺進退可能に支持するベースと、
前記軸部材の前記ウォームホイール部にかみ合うウォーム部を備えた軸状操作体とを有しており、
この軸状操作体は、前記ベースに対し、前記三本の軸部材のウォームホイール部のいずれにも前記ウォーム部をかみ合わせない非接続位置と、前記三本の軸部材のうちの一つ又は二つのウォームホイール部に前記ウォーム部をかみ合わせた接続位置との間に亘る移動可能に組み合わされており、接続位置に位置づけたこの軸状操作体の捻回操作によって前記軸部材の螺進退がなされるようになっていることを特徴とする支持装置。
【請求項２】
ベースは一対のベース板を有しており、軸部材はその軸端側をこのベース板に設けた軸受け穴に通して一対のベース板間にウォームホイール部を位置させた状態で支持されていると共に、
被支持体は、前記軸部材における前記軸受け穴を通じてベース板の外側に突き出された軸端において支持されるようになっていることを特徴とする請求項１に記載の支持装置。
【請求項３】
軸状操作体は、一対のベース板間より外側に突き出された操作用把持部を備えていることを特徴とする請求項２に記載の支持装置。
【請求項４】
三本の軸部材のうちの二つは軸状操作体を挟んだ一方側に位置され、かつ、残りの一つは軸状操作体を挟んだ他方側に位置されていることを特徴とする請求項１〜３のいずれか１項に記載の支持装置。
【請求項５】
軸状操作体は、その軸線方向において間隔を開けた二カ所においてそれぞれ、この軸状操作体の軸支部とベース板に形成された案内溝に納まる被案内部とを備えたガイド体を介してベースに組み合わされていることを特徴とする請求項２〜請求項４のいずれか１項に記載の支持装置。
【発明の詳細な説明】
【技術分野】
【０００１】
この発明は、被支持体を三本の軸部材によって傾き調整可能に支持する支持装置の改良に関する。
【背景技術】
【０００２】
３つのネジ部材によってミリ波レーダー装置を傾き調整可能に支持する装置として、特許文献１に示されるものがある。この特許文献１に示されるものでは、３つのネジ部材に対応して３つのネジ締め装置が備えられている。
【先行技術文献】
【特許文献】
【０００３】
【特許文献１】特開２０１０−５４２４４号公報
【発明の概要】
【発明が解決しようとする課題】
【０００４】
この発明が解決しようとする主たる問題点は、この種の支持装置の構造の複雑化を招くことなく、被支持体の傾き調整をより円滑になさせるようにする点にある。
【課題を解決するための手段】
【０００５】
前記課題を達成するために、この発明にあっては、支持装置を、被支持体を三本の軸部材によって傾き調整可能に支持する支持装置であって、
前記三本の軸部材はそれぞれ、軸端間にウォームホイール部を備えると共に、
前記三本の軸部材をそれぞれ螺進退可能に支持するベースと、
前記軸部材の前記ウォームホイール部にかみ合うウォーム部を備えた軸状操作体とを有しており、
この軸状操作体は、前記ベースに対し、前記三本の軸部材のウォームホイール部のいずれにも前記ウォーム部をかみ合わせない非接続位置と、前記三本の軸部材のうちの一つ又は二つのウォームホイール部に前記ウォーム部をかみ合わせた接続位置との間に亘る移動可能に組み合わされており、接続位置に位置づけたこの軸状操作体の捻回操作によって前記軸部材の螺進退がなされるようになっているものとした。
かかる構成によれば、軸状操作体の操作によって、三本の軸部材をそれぞれ所望の寸法分螺進退させて、被支持体の傾き調整をなすことができる。
【０００６】
前記ベースを一対のベース板を有するものとし、前記軸部材をその軸端側をこのベース板に設けた軸受け穴に通して一対のベース板間にウォームホイール部を位置させた状態で支持させると共に、被支持体を、前記軸部材における前記軸受け穴を通じてベース板の外側に突き出された軸端において支持するようにしておくことが、この発明の好ましい態様の一つとされる。この場合に、前記軸状操作体に、一対のベース板間より外側に突き出された操作用把持部を備えさせておけば、軸状操作体の前記操作をこの操作用把持部を利用して容易且つ円滑になすことができる。
【０００７】
また、前記三本の軸部材のうちの二つを軸状操作体を挟んだ一方側に位置させ、かつ、残りの一つを軸状操作体を挟んだ他方側に位置させることが、この発明の好ましい態様の一つとされる。
【０００８】
また、前記軸状操作体を、その軸線方向において間隔を開けた二カ所においてそれぞれ、この軸状操作体の軸支部とベース板に形成された案内溝に納まる被案内部とを備えたガイド体を介してベースに組み合わせるようにしておけば、軸状操作体は非接続位置と接続位置とに亘って規則的に移動可能となり、また、接続位置において軸状操作体はその軸線を中心に捻回可能となる。
【発明の効果】
【０００９】
この発明によれば、被支持体を支持する三本の軸部材を単一の軸状操作体の操作により螺進退させてこの被支持体の傾き調整をなすことができ、支持装置の構造の複雑化を招くことなく、かかる被支持体の傾き調整を円滑に行うことができる。
【図面の簡単な説明】
【００１０】
【図１】図１はこの発明の一実施の形態にかかる支持装置の正面図である。
【図２】図２は前記支持装置の左側面図である。
【図３】図３は図１におけるＡ−Ａ線位置での断面図である。
【図４】図４は図１におけるＢ−Ｂ線位置での断面図である。
【図５】図５は前記支持装置の分解斜視図である。
【図６】図６は右下隅の軸部材に軸状操作体を接続させた状態を示した一部破断正面図である。
【図７】図７は左下隅の軸部材に軸状操作体を接続させた状態を示した一部破断正面図である。
【図８】図８は左上隅の軸部材に軸状操作体を接続させた状態を示した一部破断正面図である。
【発明を実施するための形態】
【００１１】
以下、図１〜図８に基づいて、この発明の典型的な実施の形態について、説明する。この実施の形態にかかる支持装置Ｓは、被支持体Ｍを傾き調整可能に支持するものである。かかる支持装置Ｓは、被支持体Ｍを三本の軸部材１…１によって支持するようになっている。また、かかる三本の軸部材１…１はそれぞれ螺進退可能にベース２に支持されている。図示の例では、三本の軸部材１…１はそれぞれ、その一方の軸端を被支持体Ｍに枢支させている。図示の例では、かかる軸部材１の一方の軸端に球状をなす自在継手Ｊの一方部分Ｊａを備えさせると共に、被支持体Ｍ側にこの一方部分Ｊａを相補的に納める凹球面状をなす自在継手Ｊの他方部分Ｊｂ（詳細は省略）を備えさせて、前記枢支をなすようにしている。これにより、三本の軸部材１…１を螺進退させることにより、被支持体Ｍの傾き調整が可能となっている。図示の例では、ベース２を構成する後述の一対のベース板２０、２０のうち、図２における右側に位置されるベース板２０の外面２０ａを基準とした場合、被支持体Ｍの正面Ｍａがこの外面２０ａに平行をなす位置から、上下方向及び左右方向に被支持体Ｍを傾動可能となっている。図示の例では、支持装置Ｓは、自動車の前方に図２における右側に位置されるベース板２０が向けられるように、図２における左側に位置されるベース板２０を自動車のボディ側に固定した状態で、図２における右側に位置されるベース板２０から前方に突き出す軸部材１の軸端１０によって前記被支持体Ｍとしての車両用レーダー装置の本体を傾き調整可能に自動車のボディ側に組み合わせるために利用しやすい構造となっている。図示の例では、ベース２の下端から下方に向けて後述の軸状操作体３が延び出しており、この軸状操作体３を操作することで前記車両用レーダー装置の本体の前記傾き調整を容易に行えるようになっている。図示の例とは異なり、この実施の形態にかかる支持装置Ｓは、被支持体Ｍの下方においてこれを支持するように用いることもでき、このように支持装置Ｓを用いた場合、被支持体Ｍの傾き調整に加えて、その高さ調整も可能となる。
【００１２】
前記三本の軸部材１…１はそれぞれ、二カ所の軸端１０、１０間にウォームホイール部１１を備えている。図示の例では、かかる三本の軸部材１…１はそれぞれ、その長さ方向中程の位置に鍔状をなすと共に、突き出し端面にギア部を持ったウォームホイール部１１を有している。また、かかる三本の軸部材１…１はそれぞれ、ウォームホイール部１１を挟んだ一方側に、雄ネジ部１２を備えている。より具体的には、軸部材１は前記ウォームホイール部１１を挟んだ被支持体Ｍの枢支側を無ネジ部とし、これと反対の側に前記雄ネジ部１２を備えている。
【００１３】
前記ベース２は、前記軸部材１の雄ネジ部１２にかみ合う雌ネジ部を持った軸受け穴２１を備え、この軸受け穴２１によって前記三本の軸部材１…１をそれぞれ螺進退可能に支持するようになっている。この実施の形態にあっては、かかるベース２は一対のベース板２０、２０を有しており、軸部材１はその軸端１０側をこのベース板２０に設けた軸受け穴２１に通してかかる一対のベース板２０、２０間にウォームホイール部１１を位置させた状態で支持されている。図示の例では、一対のベース板２０、２０はそれぞれ、略正方形の板状を呈している。かかる一対のベース板２０、２０にはそれぞれ、その四つの隅部のうちの一つの隅部を除いた三つの隅部に、ベース板２０を内外に貫通する前記軸受け穴２１が形成されている。図示の例では、かかる一対のベース板２０、２０の一方においてのみ、その軸受け穴２１内に前記雌ネジ部が形成されている。そして、一つの軸部材１の一方の軸端１０側の雄ネジ部１２が一対のベース板２０、２０の一方の軸受け穴２１にねじ込み挿入され、かつ、この軸部材１の他方の軸端１０側が一対のベース板２０、２０の他方の軸受け穴２１に挿入されて、ベース板２０の三つの隅部においてそれぞれ軸部材１が螺進退可能に支持されている。そして、被支持体Ｍは、かかる軸部材１における前記軸受け穴２１を通じてベース板２０の外側に突き出された軸端１０によって、図示の例では、図２における右側に位置される軸端１０によって、支持されるようになっている。図中符号２２で示されるのは前記一対のベース板２０、２０間の間隔を一定に保つスペーサーであり、符号２３で示されるのは一対のベース板２０、２０の他方の外面に形成された突出部である。図示の例では、かかるスペーサー２２は、略正方形の板状を呈している。スペーサー２２はその一辺を一対のベース板２０、２０の一方の内面２０ｂに当接させ、かつ、この一辺に対向する他辺を一対のベース板２０、２０の他方の内面２０ｂに当接させると共に、その板面をベース板２０の一辺に沿わせるようにして、一対のベース板２０、２０間に介装されている。図示の例では、ベース２を左右に二分する仮想の中心線ｘを挟んだ右側に位置される一対のベース板２０の辺間と、この仮想の中心線ｘを挟んだ左側に位置される一対のベース板２０の辺間とにそれぞれ、スペーサー２２が介装されている。（図２）
【００１４】
支持装置Ｓはまた、前記軸部材１の前記ウォームホイール部１１にかみ合うウォーム部３０を備えた軸状操作体３を有している。図示の例では、かかる軸状操作体３は、丸棒状を呈すると共に、その長さ方向中程の位置を挟んだ一方側に前記ウォーム部３０を備えている。図示の例では、かかる軸状操作体３は、このウォーム部３０が備えられた側を前記一対のベース板２０、２０の間に納め、これと反対の側をこの一対のベース板２０、２０間より外側に突き出させている。また、図示の例では、前記三本の軸部材１…１のうちの二つをかかる軸状操作体３を挟んだ一方側に位置させ、かつ、残りの一つをかかる軸状操作体３を挟んだ他方側に位置させるように、かかる軸状操作体３はベース２に組み合わされている。また、図示の例では、かかる軸状操作体３における一対のベース板２０、２０間より外側に突き出されている部分は、他の箇所よりも太径に構成されて操作用把持部３１となっている。
【００１５】
そして、かかる軸状操作体３は、前記ベース２に対し、前記三本の軸部材１…１のウォームホイール部１１のいずれにも前記ウォーム部３０をかみ合わせない非接続位置と、前記三本の軸部材１…１のうちのいずれか一つウォームホイール部１１に前記ウォーム部３０をかみ合わせた接続位置との間に亘る移動可能に組み合わされている。図示の例では、軸状操作体３は、その軸線ｘ’を前記仮想の中心線ｘに沿わせると共に、ベース２内から操作用把持部３１側を最も引き出させた基準位置（図１の位置）において前記三本の軸部材１…１のウォームホイール部１１のいずれにも前記ウォーム部３０をかみ合わせないようになっている。
【００１６】
そして、第一に、かかる軸状操作体３は、前記基準位置からそのウォーム部３０が図１における前記ベース板２０の右下隅に位置される軸部材１のウォームホイール部１１に突き当たる位置まで右側に回動させることで、この右下隅に位置される軸部材１のウォームホイール部１１にのみそのウォーム部３０をかみ合わせるようになっている。（図６／第一接続位置）
【００１７】
また、第二に、かかる軸状操作体３は、前記基準位置からそのウォーム部３０が図１における前記ベース板２０の左下隅に位置される軸部材１のウォームホイール部１１に突き当たる位置まで左側に回動させることで、この左下隅に位置される軸部材１のウォームホイール部１１にのみそのウォーム部３０をかみ合わせるようになっている。（図７／第二接続位置）
【００１８】
また、第三に、かかる軸状操作体３は、前記基準位置からベース２内に最も押し込んだ状態から、そのウォーム部３０が図１における前記ベース板２０の左上隅に位置される軸部材１のウォームホイール部１１に突き当たる位置まで右側に回動させることで、この左上隅に位置される軸部材１のウォームホイール部１１にのみそのウォーム部３０をかみ合わせるようになっている。（図８／第三接続位置）
【００１９】
そして、この実施の形態にかかる支持装置Ｓにあっては、前記各接続位置に位置づけたこの軸状操作体３の、前記軸線ｘ’を中心とした捻回操作によって前記軸部材１の螺進退がなされるようになっている。これにより、この実施の形態にかかる支持装置Ｓにあっては、軸状操作体３の操作によって、三本の軸部材１…１をそれぞれ所望の寸法分螺進退させて、被支持体Ｍの傾き調整をなすことができる。図示の例では、かかる軸状操作体３の操作は、一対のベース板２０、２０間より外側に突き出された操作用把持部３１によって容易且つ円滑になすことができる。なお、図示の例とは別に、前記接続位置において、軸状操作体３のウォーム部３０が、三本の軸部材１…１のうちの二つに対しそのウォームホイール部１１に同時にかみ合うようにしておいても良い。
【００２０】
また、この実施の形態にあっては、軸状操作体３は、その軸線ｘ’方向において間隔を開けた二カ所においてそれぞれ、この軸状操作体３の軸支部４０とベース板２０に形成された案内溝２４、２５に納まる被案内部４１とを備えたガイド体４を介してベース２に組み合わされている。これにより、この実施の形態にあっては、軸状操作体３は非接続位置と接続位置とに亘って規則的に移動されると共に、接続位置において軸状操作体３をその軸線ｘ’を中心に捻回できるようにしている。
【００２１】
図示の例では、軸状操作体３における一対のベース板２０、２０間に位置される箇所は、二カ所の細径の無ネジ部３２、３２により三つの太径部に分割されており、この三つの太径部のうちの中間の太径部を除いた二カ所が前記ウォーム部３０となっている。一方、前記ガイド体４は、一対のベース板２０、２０の一方の内面に対する第一摺接辺部４２と、一対のベース板２０、２０の他方の内面に対する第二摺接辺部４３と、両摺接辺部４２、４３間に亘る側辺部４４とを有する板状を呈している。そして、このガイド体４の中央に、前記軸支部４０としての前記軸状操作体３の無ネジ部３２の挿通穴４０ａが形成されている。そして、図示の例では、軸状操作体３は、図１における上側の無ネジ部３２と、図１における下側の無ネジ部３２とにおいてそれぞれ、ガイド体４によって支持されている。図示の例では、ガイド体４の側辺部４４の一つにおいて外方に開放された割り溝４５が前記挿通穴４０ａに連通しており、この割り溝４５を利用してこの挿通穴４０ａに無ネジ部３２を前記軸線ｘ’に直交する向きから割り溝４５の溝幅を弾性的に押し広げながら導入できるようになっている。かかる割り溝４５の前記挿通穴４０ａとの連通箇所の溝幅は、前記軸状操作体３の無ネジ部３２の直径よりも小さく、前記のように挿通穴４０ａに導入された無ネジ部３２は前記挿通穴４０ａ内に保持されるようになっている。
【００２２】
一方、一対のベース板２０、２０にはそれぞれ、前記仮想の中心線ｘ上において図１の上下に間隔を開けて、案内溝２４、２５が形成されている。図１の上側に位置される案内溝２４は、前記仮想の中心線ｘに沿った垂直溝部２４ａと、この垂直溝部２４ａの上端より左側に延びる分岐溝部２４ｂとを備えている。一方、図１の下側に位置される案内溝２５は、前記仮想の中心線ｘに沿った垂直溝部２５ａと、この垂直溝部２５ａの下端より左側に延びる左側分岐溝部２５ｂと、この垂直溝部２４ａの下端より右側に延びる右側分岐溝部２５ｃとを備えている。
【００２３】
また、前記ガイド体４は、第一摺接辺部４２の中央からこの第一摺接辺部４２に直交する向きに突き出す短寸の円柱状をなす被案内部４１と、第二摺接辺部４３の中央からこの第二摺接辺部４３に直交する向きに突き出す短寸の円柱状をなす被案内部４１とを備えている。そして、図１の上側に位置されるガイド体４の各被案内部４１が対応するベース板２０の図１の上側に位置される案内溝２４に収められ、かつ、図１の下側に位置されるガイド体４の各被案内部４１が対応するベース板２０の図１の下側に位置される案内溝２５に収められている。
【００２４】
図示の例では、軸状操作体３が基準位置にあるとき、図１の上側に位置されるガイド体４の被案内部４１はこれを納める案内溝２４の垂直溝部２４ａの下端に位置され、かつ、図１の下側に位置されるガイド体４の被案内部４１はこれを納める案内溝２５の垂直溝部２５ａの下端に位置されるようになっている。図示の例では、ベース２には、軸状操作体３をこの基準位置に位置づけさせるための付勢手段５が備えられている。図示の例では、かかる付勢手段５は、一方の腕部５１を一対のベース板２０、２０の一方に固定させ、かつ、他方の腕部５２を図１における上側のガイド体４に当接させると共に、コイル部５３をこの上側のガイド体４よりも上側に位置させてこの上側のガイド体４に下方に向けた付勢力を作用させるねじりコイルバネ５０によって構成させている。図１の下側に位置されるガイド体４の被案内部４１を納める案内溝２５の垂直溝部２５ａの下端には、被案内部４１の下端を左右から挟むように形成された小突起２５ｄが形成されており、前記バネ５０とこの小突起２５ｄにより軸状操作体３が基準位置にある状態は安定的に維持される。
【００２５】
基準位置にある軸状操作体３を前記バネ５０の付勢に抗して図１の上側に向けてやや押し込みながらその操作用把持部３１を右に引く操作をすると、下側に位置されるガイド体４の被案内部４１に対する前記小突起２５ｄによる保持は解かれ、軸状操作体３は上側に位置されるガイド体４の被案内部４１を回動中心として前記第一接続位置まで回動される。（図６）
【００２６】
また、基準位置にある軸状操作体３を前記バネ５０の付勢に抗して図１の上側に向けてやや押し込みながらその操作用把持部３１を左に引く操作をすると、下側に位置されるガイド体４の被案内部４１に対する前記小突起２５ｄによる保持は解かれ、軸状操作体３は下側に位置されるガイド体４の被案内部４１を回動中心として前記第二接続位置まで回動される。（図７）
【００２７】
また、基準位置にある軸状操作体３を前記バネ５０の付勢に抗して、図２の上側に位置されるガイド体４の被案内部４１がこれを納める案内溝２４の垂直溝部２４ａの上端に突き当たり、かつ、図２の下側に位置されるガイド体４の被案内部４１がこれを納める案内溝２５の垂直溝部２５ａの上端に突き当たる位置まで押し込んだ後、その操作用把持部３１を右に引く操作をすると、軸状操作体３は下側に位置されるガイド体４の被案内部４１を回動中心として前記第三接続位置まで回動される。（図８）
【符号の説明】
【００２８】
Ｍ  被支持体
１  軸部材
１０  軸端
１１  ウォームホイール部
２  ベース
３  軸状操作体
３０  ウォーム部
【図１】
2013246040.tif 000003
【図２】
2013246040.tif 000004
【図３】
2013246040.tif 000005
【図４】
2013246040.tif 000006
【図５】
2013246040.tif 000007
【図６】
2013246040.tif 000008
【図７】
2013246040.tif 000009
【図８】
2013246040.tif 000010